(57)【要約】【課題】安価な構成でＷＥＥＫＬＹタイマー等の設定内容をバックアップ可能なリモコン装置を提供すること。【解決手段】室内機と有線で通信可能に複数接続され、自機が親機であるか子機であるかを設定するための切替スイッチを具備し、室内機と親機または子機とで相互通信を行うための通信部と、表示部と、入力操作を行うための操作部と、各種情報を記憶する内部メモリとを具備する空気調和機のリモコン装置であって、前記切替スイッチにより親機と子機とにそれぞれ設定された前記リモコン装置が前記室内機に接続されている場合に、前記内部メモリに記憶されている情報のうち、親機においてのみ使用している親機専用メモリ情報を、前記子機の内部メモリに複製してバックアップをとるようにした。【選択図】図１
2014194286.tif 000002
【特許請求の範囲】
【請求項１】
室内機と有線で通信可能に複数接続され、自機が親機であるか子機であるかを設定するための切替スイッチを具備し、室内機と親機または子機とで相互通信を行うための通信部と、表示部と、入力操作を行うための操作部と、各種情報を記憶する内部メモリとを具備する空気調和機のリモコン装置であって、前記切替スイッチにより親機と子機とにそれぞれ設定された前記リモコン装置が前記室内機に接続されている場合に、前記内部メモリに記憶されている情報のうち、親機においてのみ使用している親機専用メモリ情報を、前記子機の内部メモリに複製してバックアップをとるようにしたことを特徴とする空気調和機のリモコン装置。
【請求項２】
前記バックアップは、前記親機専用メモリ情報について設定変更があった場合に更新するようにしたことを特徴とする請求項１記載の空気調和機のリモコン装置。
【発明の詳細な説明】
【技術分野】
【０００１】
本発明は、空気調和機のリモコン装置におけるＷＥＥＫＬＹタイマー等の設定情報のバックアップに関するものである。
【背景技術】
【０００２】
空気調和機には、室内機の操作や設定の制御を行うリモコン装置が使用されるが、ワイヤレス手元リモコンの他に、室内機の運転状態を細かく設定して制御可能なＷＥＥＫＬＹタイマー機能を有した壁面取付型のリモコン装置が存在する。
【０００３】
このようなリモコン装置は、一台の室内機に対して複数個取り付けられることがあり、そのような場合、一台を親機として設定し、残りを子機として設定して使用する。この場合、ＷＥＥＫＬＹタイマーの設定内容などの詳細な設定事項は親機において行い、子機からはＷＥＥＫＬＹタイマーの設定を行えないようにしていた。しかしこのような使用環境において、親機が故障してしまうとＷＥＥＫＬＹタイマーの設定内容等の記憶内容が失われてしまい、リモコン装置を交換した後で再度入力して設定し直さなければならず、入力の手間と時間がかかるという問題があった。
【０００４】
同様の問題を解決したものとして、例えば特許文献１が挙げられる。この特許文献１に記載の空気調和機のリモートコントローラは、可搬な外部記憶媒体である外部メモリの書き込みおよび読み出しが可能な外部メモリインターフェース部を備え、設定情報格納指示に基づいて、リモートコントローラで設定した設定情報を外部メモリに格納すると共に、設定情報保存指示に基づいて、他のリモートコントローラで設定した設定情報を読み出して内部メモリに保存できるようにすることで、複数台の空気調和機の設定を容易にし、その設定に要する時間を短縮することを可能にしたものである。
【特許文献１】特開２０１２−１８４９０３号公報
【発明の開示】
【発明が解決しようとする課題】
【０００５】
しかし、上記特許文献１に記載の空気調和機のリモートコントローラは、外部メモリインターフェースを設ける必要があるため、リモコン装置が高価になってしまうという問題がある。
【０００６】
本発明は、上記問題点に鑑みなされたものであり、安価な構成でＷＥＥＫＬＹタイマー等の設定内容をバックアップ可能なリモコン装置を提供することを目的とするものである。
【課題を解決するための手段】
【０００７】
本発明の請求項１は、室内機と有線で通信可能に複数接続され、自機が親機であるか子機であるかを設定するための切替スイッチを具備し、室内機と親機または子機とで相互通信を行うための通信部と、表示部と、入力操作を行うための操作部と、各種情報を記憶する内部メモリとを具備した空気調和機のリモコン装置であって、前記切替スイッチにより親機と子機とにそれぞれ設定された前記リモコン装置が前記室内機に接続されている場合に、前記内部メモリに記憶されている情報のうち、親機においてのみ使用している親機専用メモリ情報を、前記子機の内部メモリに複製してバックアップをとるようにしたことを特徴とする空気調和機のリモコン装置である。
【０００８】
本発明の請求項２は、請求項１に加えて、前記バックアップは、前記親機専用メモリ情報について設定変更があった場合に更新するようにしたことを特徴とする空気調和機のリモコン装置である。
【発明の効果】
【０００９】
請求項１記載の発明によれば、切替スイッチにより設定された親機と子機が有線接続されている場合に、前記内部メモリに記憶されている情報のうち、親機においてのみ使用している親機専用メモリ情報を、前記有線接続された子機の内部メモリに複製してバックアップをとるようにしたので、親機が故障して交換が必要になった場合に、取り替えた新しいリモコン装置に対して子機の内部メモリに記憶された親機専用メモリ情報の内容を復元することで、ＷＥＥＫＬＹタイマーなどの設定をし直す必要がなく、再入力の手間と時間を省くことができる。
【００１０】
請求項２記載の発明によれば、前記バックアップは、前記親機専用メモリ情報について設定変更があった場合に設定を決定したことで更新するようにしたので、常に最新の設定状況についてバックアップをとることが可能となる。
【図面の簡単な説明】
【００１１】
【図１】本発明の空気調和機のリモコン装置の構成を表したブロック図である。
【図２】内部メモリに記憶される情報の内容を表した表である。
【発明を実施するための形態】
【００１２】
本発明による空気調和機のリモコン装置は、室内機と有線で通信可能に複数接続され、自機が親機であるか子機であるかを設定するための切替スイッチを具備し、室内機と親機または子機とで相互通信をを行うための通信部と、表示部と、入力操作を行うための操作部と、各種情報を記憶する内部メモリとを具備する空気調和機のリモコン装置であって、前記切替スイッチにより設定された親機とにそれぞれ設定された前記リモコン装置が前記空気調和機に接続されている場合に、前記内部メモリに記憶されている情報のうち、親機においてのみ使用している親機専用メモリ情報を、前記子機の内部メモリに複製してバックアップをとるようにしたことを特徴とするものである。以下、詳細に説明を行う。
【実施例１】
【００１３】
本発明の空気調和機のリモコン装置について図面に基づいて説明を行う。図１に示すのは、本発明の空気調和機のリモコン装置の構成を表したブロック図である。この図１において、１０は、リモコン装置の親機であり、演算処理を行うための演算処理部１１、操作パネル等によって入力を行うための操作部１２、液晶パネル等からなる表示部１３、室内機との通信を行うための通信部１４、親機／子機の切替えを行うための切替スイッチ１５、及び、設定情報等の各種情報を記憶させておくための内部メモリ１６を具備している。２０は、リモコン装置の子機であり、演算処理を行うための演算処理部２１、操作パネル等によって入力を行うための操作部２２、液晶パネル等からなる表示部２３、室内機との通信を行うための通信部２４、親機／子機の切替えを行うための切替スイッチ２５、及び、設定情報等の各種情報を記憶させておくための内部メモリ２６を具備している。このリモコン装置の親機１０、及び、リモコン装置の子機２０は、有線で室内機３０と接続されており、親機１０と子機２０の間も有線で接続されている。
本発明では、室内機と親機が有線で接続され、親機と子機は渡り線で接続した場合で説明しているが、子機を直接室内機と接続してもよい。
【００１４】
前記リモコン装置の親機１０とリモコン装置の子機２０は、全く同じ構造の装置であり、切替スイッチ１５及び切替スイッチ２５によって、それぞれ親機１０及び子機２０として機能させているものである。
【００１５】
前記内部メモリ１６には、親機専用メモリ１７と個別メモリ１８が含まれ、ＷＥＥＫＬＹタイマーなどの子機では使用しない親機のみのメモリ情報である親機専用メモリ情報が親機専用メモリ１７に、親機と子機でそれぞれ使用しているメモリ情報である個別メモリ情報が個別メモリ１８にそれぞれ記憶されている。また、子機の内部メモリ２６には、個別メモリ２８が含まれ、個別メモリ情報が個別メモリ２８に記憶されている。
【００１６】
さらに詳しくは、図２に示すように、（ａ）キーロック、（ｂ）室温表示、（ｃ）初期設定、（ｄ）現地設定の項目については、親機１０と子機２０でそれぞれ個別メモリ１８、２８に記憶しているが、（ｅ）ＷＥＥＫＬＹタイマー、（ｆ）消し忘れタイマー、（ｇ）ＯＮタイマー、（ｈ）ＯＦＦタイマー、（ｉ）設定温度自動復帰、（ｊ）設定温度範囲制限、（ｋ）管理機能、（ｌ）異常履歴の項目については、親機の親機専用メモリ１７に記憶されている。
【００１７】
このうち、（ｅ）ＷＥＥＫＬＹタイマーの設定項目としては、夏用のＷＥＥＫＬＹ１と冬用のＷＥＥＫＬＹ２でそれぞれ記憶させることが可能であり、それぞれにおいて、曜日、時刻、運転／停止の切替、運転モードの設定、温度設定などの項目を設定して記憶させている。
【００１８】
ここで、親機１０の内部メモリ１６と子機２０の内部メモリ２６とは同じ構成を有していることから、子機２０の内部メモリ２６には（ｅ）〜（ｌ）の項目からなる親機専用メモリ情報を記憶させることができる。
【００１９】
そこで、本発明においては、親機１０と子機２０が有線で接続されている場合に、親機１０の内部メモリ１６に記憶された親機専用メモリ情報を子機２０の内部メモリ２６に複製してバックアップをとることを特徴とする。
【００２０】
バックアップをとるタイミングとしては、前記（ｅ）〜（ｌ）の項目からなる親機専用メモリ１７の内容について設定変更を行う場合に、その設定変更について決定がなされたときに、自動的に子機２０の内部メモリ２６の親機専用メモリ２７に対しても変更した情報を記憶させるようにする。このようなタイミングでバックアップを行うことで、常に最新の設定情報についてバックアップをとることが可能となる。なお、ユーザがバックアップをとることを入力して指示したときにバックアップを実行するようにしてもよい。
【００２１】
子機２０側では、ＷＥＥＫＬＹタイマーなどの親機専用メモリ情報が内部メモリ２８の親機専用メモリ２７に記憶されていても、切替スイッチ２５が子機側に設定してある場合には親機専用メモリ情報を利用したり変更したりすることができないようにする。
【００２２】
このようにしてバックアップをとることにより、親機１０が故障して交換が必要になった場合に、取り替えた新しいリモコン装置に対して子機２０の内部メモリ２６に記憶された親機専用メモリ情報の内容をコピーして復元することで、ＷＥＥＫＬＹタイマーなどの設定をし直す必要がなく、再入力の手間と時間を省くことができる。
【００２３】
また、親機１０が故障した場合に、子機２０の切替スイッチ２５を親機側に切替えて子機２０だったリモコン装置を親機１０として利用することで、内部メモリ２６に記憶された親機専用メモリ情報をそのまま利用可能となる。
【００２４】
また、本発明においては、バックアップを行う項目の中に（ｌ）異常履歴を含めている。この（ｌ）異常履歴は、異常の有無、エラーコード、室内機のアドレス、日付、時刻などを記憶したものであり、ユーザにおいて使用する情報ではないが、故障の原因を探るためにサービスマンが利用することがあるため、異常履歴についても子機にバックアップを行うことで修理の際に役立てることができる。
【符号の説明】
【００２５】
１０…リモコン装置の親機、１１…演算処理部、１２…操作部、１３…表示部、１４…通信部、１５…切替スイッチ、１６…内部メモリ、１７…親機専用メモリ、１８…個別メモリ、１９…、２０…リモコン装置の子機、２１…演算処理部、２２…操作部、２３…表示部、２４…通信部、２５…切替スイッチ、２６…内部メモリ、２７…親機専用メモリ、２８…個別メモリ、３０…室内機。
【図１】
2014194286.tif 000003
【図２】
2014194286.tif 000004